(57)【要約】【課題】別途部材を設けることなく、扉体の開放側への回動を制限可能とした電気機器収納用箱体を提供する。【解決手段】前扉２を片開き可能に支持する軸４１を横断面が半円形となるように切り欠かれてなる柱状体とするとともに、該軸４１が挿通するヒンジ孔３１を、円孔内に突片３１ａを突設させて中心角が鈍角である扇形状に形成することにより、前扉２の回動方向への移動を所定幅内で制限するようにした。したがって、前扉の軸着位置や電力量計収納ケース１の設置環境等に応じてヒンジ孔３１の中心角等を適宜設定することにより、前扉２が壁面設置時等に壁面に接触し、前扉２そのものや壁面が損傷してしまうといった事態を防止することができる。【選択図】図７
2008022684.tif 000002
【特許請求の範囲】
【請求項１】
ケース本体に設けられた開口を開閉するための扉体を片開き可能に備えてなる電気機器収納用箱体であって、
扉体を片開き可能に支持する円柱状の軸及び該軸が挿通するヒンジ孔のいずれか一方に突部を設けるとともに、前記軸及びヒンジ孔の他方に、前記突部を嵌入可能で、且つ、前記突部の回動方向への移動を所定幅内に制限する切り欠きを設けて、前記扉体の開放角度を制限したことを特徴とする電気機器収納用箱体。
【請求項２】
ケース本体に、横断面が半円形となるように切り欠かれた軸を突設する一方、扉体に、突部を有するヒンジ孔を設けてなることを特徴とする請求項１に記載の電気機器収納用箱体。
【発明の詳細な説明】
【技術分野】
【０００１】
本発明は、たとえば分電盤や電力量計収納ケース等といった電気機器収納用箱体に関するものである。
【背景技術】
【０００２】
従来より、片開き可能な扉体を備えてなる電気機器収納用箱体としては、種々のものが考案されており、たとえば特許文献１に記載されているように、前面に開口を有する箱体本体の一方側縁に、該前面開口を開閉するように扉体を軸着してなるものがある。
【０００３】
【特許文献１】特開平１０−２０５１９９号公報
【発明の開示】
【発明が解決しようとする課題】
【０００４】
しかしながら、特許文献１に記載のような電気機器収納用箱体では、扉体を、その開放角度を制限することなく自由に回動可能としているため、扉体を開放した際に扉体の正面が壁面等にあたり、扉体や壁面が傷つくおそれがあるという問題がある。また、このような事態を防止すべく、扉体が開放側へ所定角度以上回動しないようにストッパ部材を別途設けると、部品点数が増加して組立作業等が煩雑化する上、近年、電気機器収納用箱体にも美観が求められており、上記ストッパ部材等によって美観が損なわれるといった問題もある。
【０００５】
そこで、本発明は、上記問題に鑑みなされたものであって、別途部材を設けることなく、扉体の開放側への回動を制限可能とした電気機器収納用箱体を提供しようとするものである。
【課題を解決するための手段】
【０００６】
上記目的を達成するために、本発明のうち請求項１に記載の発明は、ケース本体に設けられた開口を開閉するための扉体を片開き可能に備えてなる電気機器収納用箱体であって、扉体を片開き可能に支持する円柱状の軸及び該軸が挿通するヒンジ孔のいずれか一方に突部を設けるとともに、前記軸及びヒンジ孔の他方に、前記突部を嵌入可能で、且つ、前記突部の回動方向への移動を所定幅内に制限する切り欠きを設けて、前記扉体の開放角度を制限したことを特徴とする。
請求項２に記載の発明は、請求項１に記載の発明において、ケース本体に、横断面が半円形となるように切り欠かれた軸を突設する一方、扉体に、突部を有するヒンジ孔を設けてなることを特徴とする。
【発明の効果】
【０００７】
本発明によれば、扉体を片開き可能に支持する円柱状の軸及び該軸が挿通するヒンジ孔のいずれか一方に突部を設けるとともに、軸及びヒンジ孔の他方に、突部を嵌入可能で、且つ、突部の回動方向への移動を所定幅内に制限する切り欠きを設けて、扉体の開放角度を制限している。したがって、扉体の軸着位置や電気機器収納用箱体の設置環境等に応じて切り欠きの回動方向幅を適宜設定することにより、該切り欠きがストッパとなって、扉体が壁面設置時等に壁面に接触し、扉体そのものや壁面が損傷してしまうといった事態を防止することができる。
また、扉体の回動動作を制限するための別途ストッパ部材を設置・利用するわけではないため、部品点数の増加やストッパ部材の紛失等といった問題が生じないし、扉体やケース本体にストッパ部材を設置するための設置スペース等を設ける必要がなく、凹凸の少ない美観に優れた電気機器収納用箱体を提供することができる。
さらに、請求項２に記載の発明によれば、ケース本体に半円柱状の軸を突設する一方、扉体に、突部を有するヒンジ孔を設けているため、軸やヒンジ孔の成形や扉体のケース本体への取付作業等が容易となる、といった効果を奏する。
【発明を実施するための最良の形態】
【０００８】
以下、本発明の一実施形態となる電気機器収納用箱体について、図面をもとに説明する。尚、本実施形態においては、電気機器収納用箱体を、その一例である電力量計収納ケースとして説明する。
【０００９】
図１は、電力量計収納ケース１の外観を示した斜視説明図であり、図２は、前扉２を開放した状態における電力量計収納ケース１を示した斜視説明図である。また、図３は、分解状態にある電力量計収納ケース１を左前上方から示した斜視説明図であり、図４は、分解状態にある電力量計収納ケース１を左前下方から示した斜視説明図である。さらに、図５は、カバー部材４を後方から示すとともに、カバー部材４の基板５への取付状態について示した説明図である。
電力量計収納ケース１は、ステンレス製のケース本体３内に電力量計等（図示しない）を収納可能としたものであって、ケース本体３の前面及び右側面を覆うような前扉（扉体）２を備えている。前扉２は、ケース本体３の前面を覆う被覆部２ａと、該被覆部２ａから後方へ一体的に折り曲げられてなり、ケース本体３の右側面を覆う折り曲げ部２ｂとからなるＬ字状の薄板部材であり、ケース本体３の上下方向長さよりも若干上下方向に長く成形されている。前扉２の折り曲げ部２ｂの後端上部には、後述の如きヒンジ孔３１を有するヒンジ板３２が一体的に突設されている一方、前扉２の折り曲げ部２ｂの後端下部には、円形の軸孔３３を備えたヒンジ板３４が一体的に突設されている。
【００１０】
また、前扉２の被覆部２ａの左端下部には、上下方向に長い長孔３５が穿設されているとともに、該長孔３５の後側には、前扉２を閉塞状態にてロックするためのロック機構３６が設けられている。該ロック機構３６は、ケース本体３側に設けられたロックピン４３に掛止する掛止片３７を備えており、長孔３５を介して指等を差し込んで前扉２の左端下部を把持することによって、ロック機構３６が後方へ押圧されて掛止片３７とともに回動するようになっている。尚、ロック機構３６には付勢手段が内蔵されており、押圧されていない時は常に通常位置へと付勢されている。
そして、上述したような前扉２は、ヒンジ板３２のヒンジ孔３１に、ケース本体３の上面右側縁後端に突設されている軸４１を挿通させるとともに、ヒンジピン４０を、ヒンジ板３４の軸孔３３とケース本体３の下面右側縁後端に穿設されている小孔４２とへ下方から挿入することによって、ケース本体３の右側後端縁を軸として片開き自在に取り付けられる。尚、前扉２において、ヒンジ板３２、３４は折り曲げ部２ｂの上端及び下端よりも内方に設けられており、ケース本体３の上面及び下面に当接させた取付状態において、上下のヒンジ部を正面等から見えにくいようにし、電力量計収納ケース１の美観の向上を図っている。
【００１１】
一方、ケース本体３は、電力量計等が設置される基板５と、基板５に設置された電力量計等を覆うように前面側に取り付けられるカバー部材４とからなる。
カバー部材４は、後面に開口を有する箱状部材であって、前面には、内部に収納設置される電力量計等を視認可能とするための窓８が設けられている。また、カバー部材４前面の左端部であって、前扉２の長孔３５と対応する位置には段部６が設けられているとともに、該段部６内にはロックピン４３が突設されており、前扉２を閉塞すると、該ロックピン４３に掛止片３７が掛止して前扉２をロックするようになっている。さらに、前扉２の下面後端縁には、後方へ突出する鉤状の係止片２０が一体的に設けられている。該係止片２０は、ステンレスの特性及び下面に設けられた切り込みによって上下方向へ撓むことができるようになっており、該弾性を利用して基板５に設けられた係止部２１への係脱が可能となっている。尚、窓８には、合成樹脂製のプラスチック板が取り付けられており、内部への水や異物等の侵入の防止、他者による内部機器の操作防止等が図られている。
【００１２】
また、基板５は、電力量計等を設置するための設置台やフランジ等を備えてなるものであって、その正面の左右及び上縁には、該基板５の前方に取り付けられるカバー部材４を位置決めするための周壁２２が設けられている。また、基板５上面の右端部には、ヒンジ板３２のヒンジ孔３１に挿通可能な軸４１が突設されている。さらに、基板５下面の右端部には、ヒンジピン４０を挿入可能な小孔４２が穿設されている。加えて、また、基板５前面の下部には、図５に示す如く、カバー部材４の係止片２０と係止可能な係止部２１が設けられている。そして、周壁２２の外周にカバー部材４の後面開口縁を当接させた状態で該係止部２１に係止片２０を係止させることにより、カバー部材４を取付可能としている。
【００１３】
ここで、本発明の要部となる前扉２とケース本体３（基板５）とのヒンジ部、すなわち軸４１及びヒンジ板３２のヒンジ孔３１の構成について、図６及び７をもとにして説明する。図６は、軸４１及びヒンジ板３２を拡大して示した部分説明図であり、図７は、前扉２の開放状態（ａ）及び閉塞状態（ｂ）におけるヒンジ部を拡大して示した部分説明図である。
軸４１は、横断面が半円形となるように切り欠かれてなる柱状体であって、切り欠き面である平面側を外側に向けた状態で立設されている。一方、ヒンジ孔３１は、軸４１と略同径で且つ中心角が所定の鈍角（たとえば、２４０度）の扇形状、すなわち円孔内に突片（突部）３１ａが突設された形状に形成されている。該ヒンジ孔３１に軸４１を挿通させると、軸４１の切り欠き面がヒンジ孔３１の突片３１ａの回動方向への移動を制限することになり、ヒンジ板３２の回動を６０度の範囲内で制限している。そこで、本実施形態においては、図７（ｂ）に示す如く、前扉２を最大に開放した際に、前扉２の一部が基板５の後側に位置する壁面に接触しないように、すなわち最大開放角度が９０度以内となるようにヒンジ孔３１の中心角が設定（突片３１ａが突設）されている。
【００１４】
以上のような構成を有する電力量計収納ケース１の組み立てについて説明する。
まず、基板５に電力量計等を含む各種機器を設置した後、カバー部材４の後面開口縁を基板５の周壁２２の外周に当接させた状態で係止部２１に係止片２０を係止させて、カバー部材４を基板５に取り付ける。次に、軸４１に前扉２のヒンジ板３２のヒンジ孔３１を挿通させるとともに、軸孔３３と小孔４２とにヒンジピン４０を下方から挿入して、ケース本体３に前扉２を片開き可能に取り付ければ、電力量計収納ケース１の組み立ては完了となる。尚、前扉２の開閉操作については、掛止片３７が段部６内にあるロックピン４３に掛止するまで前扉２を閉塞方向へ押してやれば、付勢力に反して掛止片３７が通常位置から回動して自然とロックピン４３に掛止して閉塞状態となる。また、開放したい場合には、長孔３５等から指を挿入し、指先にてロック機構３６を押圧しながら前扉２の左端部を把持すれば、付勢力に抗してロック機構３６が掛止片３７とともに回動して掛止片３７とロックピン４３との掛止状態が解除されて、前扉２を開放することができるようになる。
【００１５】
上述の如き電力量計収納ケース１によれば、ケース本体３に半円柱状の軸４１を突設するとともに、前扉２に突片３１ａを有するヒンジ孔３１が穿設されたヒンジ板３２を設け、ヒンジ孔３１に軸４１を挿通させて前扉２をケース本体３に取り付けている。そのため、前扉２の開放操作による突片３１ａの回動方向への移動が軸４１により制限されることになり、所定の開放角度以上への前扉２の開放が制限される。したがって、本実施形態の電力量計収納ケース１においては、ヒンジ孔３１の中心角を２７０度よりも小さくすることにより、電力量計収納ケース１の壁面設置時等に前扉２が壁面に接触して、前扉２や壁面が損傷してしまうといった事態を防止することができる。
【００１６】
また、前扉２の回動を制限する別途ストッパ部材を設置・利用するわけではないため、部品点数の増加やストッパ部材の紛失等といった問題が生じないし、前扉２やケース本体３にストッパ部材を設置するための設置スペース等を設ける必要がなく、凹凸の少ない美観に優れた電力量計収納ケース１を提供することができる。
さらに、ケース本体３の前面を覆うような上記前扉２を備えているため、該前扉２を閉塞することにより、窓８からの電力量計のメータ等の視認を遮ることができる。つまり、メータを視認するためには、従来と比較すると前扉２を開放するといった動作が必要となる。したがって、従来ではメータの動きによって在宅の有無が判断されてしまうという問題が生じていたが、本実施形態に係る電力量計収納ケース１によれば、前扉２を開放するといった動作を行わなければメータ等の動きが視認できないことから、上記問題が生じるケースを低減することができ、ひいては防犯性の向上を図ることができる。
【００１７】
さらにまた、カバー部材４に設けられた係止片２０と基板５に設けられた係止部２１との係止により、ケース本体３の組み立てを可能としており、ケース本体３を容易に組み立てることができる。またさらに、カバー部材４をステンレス製とするとともに、カバー部材４の下面に切り込みを設けて係止片２０を形成することにより、係止片２０に上下方向での弾性を付与している。したがって、係止片２０と係止部２１との係止を確実に行うことができるとともに、別途取付部材を用いることなく、カバー部材４を基板５に取り付けることができるため、部品点数の削減や作業性の向上等といった効果を奏することができる。
加えて、基板５の外周に沿って周壁２２を設けており、カバー部材４を、その後面開口縁を周壁２２の外周に当接させて基板５に取り付けるようにしている。したがって、カバー部材４の基板５前面での位置決めを容易に行うことができ、取付作業が容易となる上、基板５への取付状態におけるカバー部材４のがたつき等をも防止できる合理的な構成となっている。
【００１８】
なお、本発明の電子機器収納用箱体に係る構成は、上記実施の形態に記載した態様に何ら限定されるものではなく、ケース本体、扉体、カバー部材、及び基板に係る構成を、本発明の趣旨を逸脱しない範囲で必要に応じて適宜変更することができる。
【００１９】
たとえば、上記実施形態に記載の電気機器収納用箱体では、扉体を、ケース本体の側面後縁に軸着する構成としているが、ケース本体の前面側縁に軸着しても何ら問題はなく、扉体の軸着位置や電気機器収納用箱体の設置環境によって、ヒンジ孔の中心角、すなわち突部の回動方向への幅を適宜変更設計できることは言うまでもないし、ヒンジ孔を穿設する部分を筒状に形成する等、ヒンジ板の形状についても適宜変更可能である。
また、上記実施形態では、ヒンジ孔に突部を設ける一方、軸に突部の回動を許容する切り欠きが設けられた構成となっているが、図８に示すように、軸４１’に突部４１’ａを設ける一方、ヒンジ孔３１’に、軸４１’の突部を嵌入で且つ突部の回動方向への移動を制限する切り欠き３１’ａを設けるような構成とすることも可能である。
【００２０】
さらに、軸とヒンジ孔を有するヒンジ板とをケース本体の上部及び下部に夫々設けてもよいし、軸をバネ等の付勢手段により出没自在とし、軸を出没操作してヒンジ板を軸着する、すなわちケース本体に扉体を取り付けるようにしてもよい。さらにまた、扉体に軸を設け、ケース本体にヒンジ孔を設けるようにしても何ら問題はない。
加えて、上記実施形態では、電気機器収納用箱体を電力量計収納ケースとして説明しているが、分電盤等といった他の電気機器収納用箱体とすることも当然可能であるし、上記実施形態に記載のヒンジ部の構造を、箱体の側面を開閉するような側扉や本体の一部を開閉する部分扉等に適用することも可能である。
【図面の簡単な説明】
【００２１】
【図１】電力量計収納ケースの外観を示した斜視説明図である。
【図２】前扉を開放した状態における電力量計収納ケースを示した斜視説明図である。
【図３】分解状態にある電力量計収納ケースを左前上方から示した斜視説明図である。
【図４】、分解状態にある電力量計収納ケースを左前下方から示した斜視説明図である。
【図５】カバー部材を後方から示すとともに、カバー部材の基板への取付状態について示した説明図である。
【図６】軸及びヒンジ板を拡大して示した部分説明図である。
【図７】前扉の開放状態（ａ）及び閉塞状態（ｂ）におけるヒンジ部を拡大して示した部分説明図である。
【図８】軸及びヒンジ板の変更例を示した説明図である。
【符号の説明】
【００２２】
１・・電力量計収納ケース、２・・前扉、２ａ・・被覆部、２ｂ・・折り曲げ部、３・・ケース本体、４・・カバー部材、５・・基板、６・・段部、８・・窓、２０・・係止片、２１・・係止部、２２・・周壁、３１、３１’・・ヒンジ孔、３１ａ、４１’ａ・・突片、３１’ａ・・切り欠き、３２、３４・・ヒンジ板、３３・・軸孔、３５・・長孔、３６・ロック機構、３７・・掛止片、４０・・ヒンジピン、４１・・軸、４２・・小孔、４３・・ロックピン。
【図１】
2008022684.tif 000003
【図２】
2008022684.tif 000004
【図３】
2008022684.tif 000005
【図４】
2008022684.tif 000006
【図５】
2008022684.tif 000007
【図６】
2008022684.tif 000008
【図７】
2008022684.tif 000009
【図８】
2008022684.tif 000010